(57)【特許請求の範囲】
【請求項１】
外部から入力される複数の表示命令を所定の書き込み周期でメモリに書き込むとともに、
前記書き込みの完了前は先に書き込まれた一の表示命令に従う点灯制御を一のメインフレームの開始から終了までの間に当該一のメインフレームを構成するサブフレームの数だけ繰り返し実行し、前記書き込みの完了後は前記書き込みが完了した表示命令に従う点灯制御を前記一のメインフレームに続く他のメインフレームの開始から終了までの間に当該他のメインフレームを構成するサブフレームの数だけ繰り返し実行する表示方法であって、
前記書き込み周期を測定し、
前記測定した書き込み周期に基づきサブフレームの長さを算出し、前記算出した長さのサブフレームで前記測定後に開始されるメインフレームを構成し、
前記算出したサブフレームの長さは、前記書き込みが前記書き込み完了時に予定されるサブフレームの中央付近で完了する長さであり、
前記測定後に開始されるメインフレーム間で１つのメインフレームを構成するサブフレームの数を等しくする表示方法。
【請求項２】
新たな表示命令が書き込まれる度に、前記書き込み周期を新たに測定し、
新たな表示命令の書き込みが完了する度に、新たに前記測定した書き込み周期に基づきサブフレームの長さを新たに算出し、新たに前記算出した長さのサブフレームで新たな前記測定後に開始されるメインフレームを構成し、
新たな前記測定後に開始されるメインフレーム間で１つのメインフレームを構成するサブフレームの数を等しくする請求項１に記載の表示方法。
【請求項３】
外部から入力される複数の表示命令を所定の書き込み周期でメモリに書き込むとともに、
前記書き込みの完了前は先に書き込まれた一の表示命令に従う点灯制御を一のメインフレームの開始から終了までの間に当該一のメインフレームを構成するサブフレームの数だけ繰り返し実行し、前記書き込みの完了後は前記書き込みが完了した表示命令に従う点灯制御を前記一のメインフレームに続く他のメインフレームの開始から終了までの間に当該他のメインフレームを構成するサブフレームの数だけ繰り返し実行する表示方法であって、
１つのメインフレームを構成する複数のサブフレームは、同じ長さを有し、
前記書き込み周期を測定し、
前記測定した書き込み周期に基づき、前記測定後に開始されるメインフレーム間で１つのメインフレームを構成するサブフレームの数が等しくなるよう、前記書き込みの完了時に予定されるサブフレームを休止する表示方法。
【請求項４】
前記点灯制御の休止時間は前記サブフレームの長さ以下である請求項３に記載の表示方法。
【請求項５】
前記書き込み周期は１０ｍｓ以上３０ｍｓ以下である請求項１から４のいずれか１項に記載の表示方法。
【発明の詳細な説明】
【技術分野】
【０００１】
本開示は表示方法に関する。
【背景技術】
【０００２】
新たな表示命令が入力されない限り、先に入力された表示命令に従う点灯制御を繰り返す表示方法が知られている（特許文献１参照）。
【先行技術文献】
【特許文献】
【０００３】
【特許文献１】特開２００１−５６６６０号公報
【発明の概要】
【発明が解決しようとする課題】
【０００４】
しかしながら、上記従来の表示方法では、外部から所定の周期で表示命令が入力される場合において、１つの表示命令あたりの点灯制御の繰り返し回数が等しく維持されない虞がある。
【課題を解決するための手段】
【０００５】
上記の課題は、例えば、次の手段により解決することができる。
【０００６】
外部から入力される複数の表示命令を所定の書き込み周期でメモリに書き込むとともに、前記書き込みの完了前は先に書き込まれた一の表示命令に従う点灯制御を一のメインフレームの開始から終了までの間に当該一のメインフレームを構成するサブフレームの数だけ繰り返し実行し、前記書き込みの完了後は前記書き込みが完了した表示命令に従う点灯制御を前記一のメインフレームに続く他のメインフレームの開始から終了までの間に当該他のメインフレームを構成するサブフレームの数だけ繰り返し実行する表示方法であって、前記書き込み周期を測定し、前記測定した書き込み周期に基づき、前記測定後に開始されるメインフレーム間で１つのメインフレームを構成するサブフレームの数を等しくする表示方法。
【発明の効果】
【０００７】
上記の表示方法によれば、外部から所定の周期で表示命令が入力される場合において、１つの表示命令あたりの点灯制御の繰り返し回数を等しく維持することができる。
【図面の簡単な説明】
【０００８】
【図１】実施形態１に係る表示システムの構成例を示す図である。
【図２Ａ】所定の表示がスクロールされる様子を示す図である。
【図２Ｂ】所定の表示がスクロールされる様子を示す図である。
【図２Ｃ】所定の表示がスクロールされる様子を示す図である。
【図２Ｄ】所定の表示がスクロールされる様子を示す図である。
【図２Ｅ】所定の表示がスクロールされる様子を示す図である。
【図２Ｆ】所定の表示がスクロールされる様子を示す図である。
【図２Ｇ】所定の表示がスクロールされる様子を示す図である。
【図２Ｈ】所定の表示がスクロールされる様子を示す図である。
【図３】実施形態１に係る表示方法を説明するタイミングチャートである。
【図４】実施形態２に係る表示方法を説明するタイミングチャートである。
【図５】実施形態１、２に係る表示装置の構成例を示す図である。
【図６】比較例に係る表示方法を説明するタイミングチャートである。
【発明を実施するための形態】
【０００９】
［実施形態１に係る表示システム１］
図１は実施形態１に係る表示システムの構成例を示す図である。図１に示すように、表示システム１は外部装置１０と複数の表示装置２０とを備えている。外部装置１０は複数の表示装置２０に複数の表示命令をそれぞれ出力する。複数の表示装置２０は、外部装置１０から入力される表示命令に従い点灯制御を行うことにより、例えば図２Ａから図２Ｈに示すように、複数の画像Ａ〜Ｈを右から左へスクロールさせる。各画像の移動は、１ドット単位であってもよいし、本実施形態のように複数ドット単位であってもよい。画像Ａ〜Ｈの内容は特に限定されない。
【００１０】
表示装置２０は、先に入力された表示命令に従う点灯制御を完了する際に、新たな表示命令がメモリに書き込み済みであれば、新たな表示命令に従う点灯制御を開始し、書き込み済みでなければ、先に入力された表示命令に従う点灯制御を繰り返す。所定の周期で複数の表示命令の書き込みが行なわれる場合であっても、点灯制御の繰り返しが継続する時間と書き込みの周期との間に取り決めはなく、書き込みの周期で点灯制御の繰り返しが継続するとは限らない。ただし、後述する表示方法によれば、自律的に、１つの表示命令あたりの点灯制御の繰り返し回数が等しく維持される。したがって、１つの表示命令に従う点灯制御の繰り返しの継続時間が、書き込みの周期に等しくあるいはほぼ等しく維持される。
【００１１】
複数の表示装置２０は複数の発光素子を有している。各表示装置２０において、複数の発光素子は、例えば縦ｎドット×横ｎドットのドットマトリクスを構成するよう配置されている。ｎは２以上の整数である。外部装置１０と複数の表示装置２０にはそれぞれ電源が接続され電力が供給される。
【００１２】
［実施形態１に係る表示方法］
図３は実施形態１に係る表示方法を説明するタイミングチャートである。図３中の符号Ｍ１、Ｍ２、Ｍ３は３つのメモリＭ１、Ｍ２、Ｍ３を示している。本実施形態に係る表示方法は、図３に示すように、表示命令Ａ〜Ｉの書き込み周期Ｔ１を測定Ｘ１し、測定Ｘ１した書き込み周期Ｔ１に基づき、測定Ｘ１の後に開始されるメインフレームＭＦＢ〜ＭＦＨの間で１つのメインフレームを構成するサブフレームの数を等しくする。このようにすれば、測定Ｘ１の後において、１つの表示命令あたりの点灯制御の繰り返し回数が等しく維持される。以下、詳細に説明する。
【００１３】
（外部装置１０）
前記のとおり、表示命令Ａ〜Ｉは表示装置２０の外部にある外部装置１０から表示装置２０に入力される。入力方式は有線であってもよいし無線であってもよい。外部から入力された複数の表示命令Ａ〜Ｉは、所定の書き込み周期Ｔ１で、メモリＭ１〜Ｍ３に順次書き込まれる。
【００１４】
（表示命令Ａ〜Ｉ）
表示命令Ａ〜Ｉは複数の発光素子の点灯制御を命じるデータである。図３中、「ＷＲＩＴＥ：Ａ」や「ＷＲＩＴＥ：Ｂ」などの符号が付された区間は、表示命令Ａや表示命令Ｂなどがメモリに書き込まれる区間を示す。また、「ＷＲＩＴＥ：Ａ」や「ＷＲＩＴＥ：Ｂ」の右隣に続くＳの符号が付された区間は、メモリに書き込まれた表示命令Ａや表示命令Ｂなどに従い点灯制御が行われる区間を示す。１つの区間Ｓは点灯制御が１回行なわれることを示し、複数の区間Ｓは点灯制御が繰り返されることを示す。後述のとおり、Ｓの符号が付された個々の区間は、本明細書においてサブフレームと称される。
【００１５】
（書き込み周期Ｔ１）
複数の表示命令Ａ〜Ｉは、所定の書き込み周期Ｔ１でメモリに書き込まれる。書き込み周期Ｔ１は例えば１０ｍｓ以上３０ｍｓ以下である。１０ｍｓ未満である場合は、１つ１つの画像の表示時間が短くなるため、各画像切り替わりが速い。他方、３０ｍｓを超える場合は、１つ１つの画像の表示時間が長くなるため、各画像の切り替わりが遅い。したがって、１０ｍｓ未満や３０ｍｓを超える範囲においては、各画像の表示時間の違いは目立ち難い。後述のとおり、１つ１つの画像の表示時間は図３中のＭＦＡ〜ＭＦＨの符号が付された区間各々の長さに等しい。
【００１６】
（メモリＭ１、Ｍ２、Ｍ３）
複数の表示命令Ａ〜Ｉは、２つのメモリＭ１、Ｍ２に交互に書き込まれてもよいが、図３で示したように、３つのメモリＭ１、Ｍ２、Ｍ３に順次に書き込まれることが好ましい。このようにすれば、１つ目のメモリに対する表示命令の書き込み完了時に、２つ目のメモリが使用中であっても、３つ目のメモリに対して新たな表示命令の書き込みを直ちに開始することができる。したがって、書き込み周期Ｔ１を短縮することができる。
【００１７】
（点灯制御）
点灯制御とは複数の発光素子のうち所定の発光素子を点灯させる制御をいう。前記のとおり、図３中、「ＷＲＩＴＥ：Ａ」などの符号が付された区間の右隣に続くＳの符号が付された複数の区間は、メモリに書き込まれた表示命令Ａなどに従い点灯制御が複数回繰り返されていることを示す。
【００１８】
（メインフレームＭＦＡ〜ＭＦＨ、サブフレームＳ）
図３中、ＭＦＡ〜ＭＦＨの符号がされた区間はメインフレームを示す。メインフレームとは１つの画像が表示される区間をいう。例えば、メインフレームＭＦＡは画像Ａが表示される区間であり、メインフレームＭＦＢは画像Ｂが表示される区間である。１つのメインフレームの長さが１つの画像の表示時間となる。メインフレームの長さＴ１、Ｔ２、Ｔ３、Ｔ４は、例えば５ｍｓ以上５０ｍｓ以下である。
【００１９】
図３中、Ｓの符号がされた区間はサブフレームを示す。サブフレームとは１回の点灯制御の開始から終了までの区間をいう。メインフレームは複数のサブフレームによって構成されている。１つのメインフレームを構成するサブフレームの数は１つの表示命令に従う点灯制御が繰り返される回数に等しい。サブフレームの長さＴ５、Ｔ６、Ｔ７は、例えば５０ｕｓ以上５００ｕｓ以下である。サブフレームの長さが短いほどちらつきを抑制できる。１つのメインフレームを構成する複数のサブフレームの長さは、そのメインフレーム内において互いにほぼ等しい。
【００２０】
（点灯制御の繰り返し）
表示装置２０は、新たな表示命令の書き込みが完了しない限り、先に書き込まれた表示命令に従う点灯制御を繰り返す。換言すると、表示装置２０は、新たな表示命令の書き込みの完了前は先に書き込まれた一の表示命令に従う点灯制御を一のメインフレームの開始から終了までの間に当該一のメインフレームを構成するサブフレームの数だけ繰り返し実行し、新たな表示命令の書き込みの完了後は書き込みが完了した新たな表示命令に従う点灯制御を一のメインフレームに続く他のメインフレームの開始から終了までの間に当該他のメインフレームを構成するサブフレームの数だけ繰り返し実行する。この結果、本実施形態では、表示命令Ａに従う点灯制御は７回繰り返され、表示命令Ｂ〜Ｈに従う点灯制御はいずれも３回繰り返される。
【００２１】
（測定Ｘ１）
図３中、符号Ｘ１は書き込み周期Ｔ１の測定が行われていることを示す。測定Ｘ１は、例えば、１つの表示命令の書き込みが終了してからこれに続く１つの表示命令の書き込みが終了するまでの長さを計測することにより行うことができる。また例えば、１つの表示命令の書き込みが開始してからこれに続く１つの表示命令の書き込みが開始するまでの長さを計測することにより行うこともできる。
【００２２】
表示装置２０は、測定Ｘ１の後、当該測定Ｘ１の後に開始されるメインフレームの間で１つのメインフレームを構成するサブフレームの数が等しくなるよう動作する。例えば、表示装置２０は、測定Ｘ１の後、測定した書き込み周期Ｔ１に基づいてサブフレームの長さＴ６を算出し、当該算出した長さＴ６のサブフレームで当該測定Ｘ１の後に開始されるメインフレームＭＦＢを構成する。ここで、サブフレームの長さＴ６は、測定Ｘ１の後に開始されるメインフレームＭＦＢ〜ＭＦＨ間で、１つのメインフレームを構成するサブフレームの数が等しくなる長さである。すなわち、サブフレームの長さＴ６は、メインフレームＭＦＢ〜ＭＦＨの各々が同じ数のサブフレームを有することになる長さである。
【００２３】
このような長さは、例えば、「サブフレームの長さＴ６×サブフレームの数≒書き込み周期Ｔ１」に基づき算出することができる。例えば、測定された書き込み周期Ｔ１が１５ｍｓである場合、この書き込み周期Ｔ１に基づき、サブフレームの長さを３．０ｍｓとし、サブフレームの数を５つとする。このようにすれば、先に入力された表示命令に従う点灯制御を５回繰り返す度に、新たな表示命令がメモリに書き込み済みとなるため、１つの表示命令あたりの点灯制御の繰り返し回数が等しく５回に維持される。したがって、１つの表示命令に従う点灯制御の繰り返しの継続時間を、書き込みの周期（１５ｍｓ）に等しくあるいはほぼ等しく維持することができる。
【００２４】
ちらつき軽減の観点からサブフレームの長さは短いことが好ましい。そこで、各表示装置２０は、例えば、最小値となるサブフレームの長さとして値Ｖ１をあらかじめ記憶しておき、まずは、値Ｖ１を整数倍したときの値Ｖ１×Ｍ（Ｍは２以上の整数）が測定した書き込み周期Ｔ１と一致するのか、一致しない場合はどの程度の差があるのかを判断する。そして、値Ｖ１×Ｍと書き込み周期Ｔ１が一致する場合または一致はしないが両者の差が所定の値より小さい場合は、次のメインフレームにおいて値Ｖ１をサブフレームの長さとして使用する。一方、両者が一致せずにその差が所定の値よりも大きい場合は、値Ｖ１に所定の値を加算した値Ｖ２を用いて上記と同様の動作が行われる。値Ｖ２を用いて適切なサブフレームの長さが決定できない場合は、次に、値Ｖ２に所定の値を加算した値Ｖ３を用いて同様の動作が行われる。このような動作を繰り返すことにより、最終的には適切なサブフレームの長さが決定される。
【００２５】
算出されるサブフレームの長さは、書き込みが書き込み完了時に予定されるサブフレームの中央付近で完了する長さであることが好ましい。このような構成にすることで、仮に書き込み完了時とサブフレーム終了時のタイミングにずれが生じたとしても、書き込みが完了するタイミングを書き込みの完了時に予定される所定のサブフレーム内に留めることができる。すなわち、例えば、書き込みが書き込み完了時に予定されるサブフレームの端付近で完了する場合には、書き込み完了時とサブフレーム終了時のタイミングにずれが生じると、書き込みの完了時が書き込みの完了時に予定されるサブフレーム内に留まらず、当該サブフレームに隣接するサブフレーム内にずれてしまう。ゆえに、各メインフレームＭＦＢ〜ＭＦＨにおける点灯制御の回数は異なってしまう。しかしながら、上記構成によれば、書き込みが、書き込みの完了時に予定される所定のサブフレームの中央付近、すなわち、当該所定のサブフレームの端から離れたタイミングで完了するものとされるため、たとえ上記のずれが生じた場合であっても、書き込みが完了するタイミングを当該所定のサブフレーム内に留めることができる。したがって、点灯制御の回数をより精度よく維持することができる。
【００２６】
（測定Ｘ２〜Ｘ８）
図３中の符号Ｘ２〜Ｘ８は、測定Ｘ１の後、新たな表示命令が書き込まれる度に、書き込み周期Ｔ１が新たに測定されることを示している。表示装置２０は、測定Ｘ２〜Ｘ８の後においても、測定Ｘ１の場合と同様に、測定Ｘ２〜Ｘ８の後に開始されるメインフレームの間で１つのメインフレームを構成するサブフレームの数が等しくなるよう動作する。この場合、表示装置２０は、新たな表示命令の書き込みが完了する度に、新たに測定した書き込み周期に基づきサブフレームの長さを新たに算出し、新たに算出した長さのサブフレームで測定後に開始されるメインフレームを構成することが好ましい。このようにすれば、新たな表示命令の書き込みが行なわれる度に、書き込みのタイミングと点灯制御のタイミングがずれないようにサブフレームの長さが調整されるため、１つのメインフレームを構成するサブフレームの数を等しく維持することができる。
【００２７】
（画像Ｂ〜Ｈの表示時間）
以上説明した表示方法によれば、測定Ｘ１の後、１つのメインフレームを構成するサブフレームの数は３つになる。すなわち、１つの表示命令あたりの点灯制御の繰り返し回数はすべて３回となる。したがって、画像Ｂ〜Ｈの表示時間は、以下のとおり、Ｔ３またはＴ４となる。
（１）画像Ｂ、Ｃ、Ｅ、Ｆ、Ｈの表示時間＝Ｔ３＝Ｔ６×３回
（２）画像Ｄ、Ｇの表示時間＝Ｔ４＝Ｔ７×３回
ここで、上記のとおりＴ６、Ｔ７は例えば５０ｕｓ以上５００ｕｓ以下であるため、Ｔ３とＴ４の違いは最大でも４５ｍｓに過ぎない。したがって、画像Ｂ〜Ｈはがたつきが少なく円滑に切り替えられる。よって、複数の表示装置２０の各々は、複数の画像Ｂ〜Ｈを右から左へ、がたつき少なく円滑にスクロールさせることができる。
【００２８】
以上のとおり、本実施形態に係る表示方法によれば、外部から所定の周期で表示命令が入力される場合において、自律的に、１つの表示命令あたりの点灯制御の繰り返し回数が等しく維持される。したがって、１つの表示命令に従う点灯制御の繰り返しの継続時間を、書き込みの周期に等しくあるいはほぼ等しく維持することができる。
【００２９】
［実施形態２に係る表示方法］
図４は実施形態２に表示方法を説明するタイミングチャートである。図４に示すように、実施形態２は、測定Ｘ１の後、測定した書き込み周期Ｔ１に基づき、測定Ｘ１の後に開始されるメインフレーム間で１つのメインフレームを構成するサブフレームの数が等しくなるよう、書き込みの完了時に予定されるサブフレームを休止する点で、実施形態１と相違する。このようにすれば、点灯制御を休止するという簡易な制御により、測定Ｘ１の後に開始されるメインフレーム間で１つのメインフレームを構成するサブフレームの数を等しくすることができる。１つのサブフレームの長さはＴ１０であり、１つのメインフレームを構成するサブフレームの数は２つである。したがって、１つのメインフレームの長さはＴ９（Ｔ９＝Ｔ１０×２）となる。
【００３０】
点灯制御の休止時間Ｔ１１〜Ｔ１６はサブフレームの長さＴ１０以下であることが好ましい。休止時間Ｔ１１〜Ｔ１６とは、点灯制御を休止後、次の表示命令の後に入力される表示命令に従う点灯制御を開始するまでの時間である。このようにすれば、点灯率が極端に落ちないため、明るさの低下を抑えられる。また、書き込みが停止した場合に、表示が消えたままになる時間を短くできる。
【００３１】
［比較例の表示方法］
図６は比較例に係る表示方法を説明するタイミングチャートである。比較例では、書き込み周期Ｔ１の測定を行わない。また、書き込み周期Ｔ１に基づいて１つのメインフレームを構成するサブフレームの数を等しくすることもない。このため、画像Ａ〜Ｄと画像Ｆ〜Ｈを表示するメインフレームＭＦＡ〜ＭＦＤとＭＦＦ〜ＭＦＨは３つのサブフレームで構成されるが、画像Ｅを表示するメインフレームＭＦＥは２つのサブフレームで構成される。したがって、画像Ａ〜Ｄと画像Ｆ〜Ｈの表示時間Ｔ２０と画像Ｅの表示時間Ｔ２１とが大きく異なってしまう。このため、符号Ｚで示した画像Ｅから画像Ｆへの切り替わりが大きくがたついて見える。
【００３２】
［実施形態１、２に係る表示装置２０の構成例］
図５は実施形態１、２に係る表示装置の構成例を示す図である。図５に示すように、表示装置２０は、複数の発光素子Ｌ１〜Ｌ４と、複数の発光素子Ｌ１〜Ｌ４の一端に接続される共通ラインＣＯＭ１、２と、電源Ｖと、共通ラインＣＯＭ１、２と電源Ｖとに接続される第１スイッチＳＷ１１、１２と、複数の発光素子Ｌ１〜Ｌ４の他端に接続される複数の駆動ラインＳＥＧ１、２と、複数の駆動ラインＳＥＧ１、２とＧＮＤとに接続される複数の第２スイッチＳＷ２１、２２と、複数の発光素子Ｌ１〜Ｌ４を点灯制御する制御装置ＣＴＲと、を備えている。以下、詳細に説明する。
【００３３】
（複数の発光素子Ｌ１〜Ｌ４）
複数の発光素子Ｌ１〜Ｌ４の各々には例えば発光ダイオードを用いることができる。例えば、縦ｎドット×横ｎドットのドットマトリクスを構成する場合にはｎ×ｎ個の発光素子を用いる。ｎは２以上の整数である。本実施形態では、理解を容易にするため、ｎ＝２とし、４個の発光素子を用いるものとする。なお、例えば３個の発光素子（赤の発光素子、緑の発光素子、青の発光素子）を用いて１つのドットを構成する場合などは３ｎ×３ｎ個の発光素子を用いてもよい。
【００３４】
（共通ラインＣＯＭ１、２）
共通ラインＣＯＭ１、２は複数の発光素子Ｌ１〜Ｌ４の一端に接続される。複数の発光素子Ｌ１〜Ｌ４は、図５に示すようにアノードコモンで共通ラインＣＯＭ１、２に接続されてもよいし、カソードコモンで共通ラインＣＯＭ１、２に接続されてもよい。
【００３５】
共通ラインＣＯＭ１、２は、プリント配線基板などにおいて、線状、四角状、円状などの様々な形状に形成することができる。「ライン」としたのは、プリント配線基板などに形成される共通ラインＣＯＭ１、２の実際の形状を線状に限定する趣旨ではなく、単に回路図において共通ラインＣＯＭ１、２を模式化した場合にこれを線で表示可能であるからに過ぎない。
【００３６】
共通ラインの数は１本以上であればよい。１本の共通ラインは途中で枝分かれ、すなわち分岐していてもよい。１本の共通ラインであっても、これを途中で分岐させることにより、複数の発光素子Ｌ１〜Ｌ４による縦ｎドット×横ｎドットのドットマトリクスを構成することができる。
【００３７】
（電源Ｖ）
電源Ｖは複数の発光素子Ｌ１〜Ｌ４に電圧を供給する装置である。電源Ｖは、共通ラインＣＯＭ１、２ごとに設けられてもよいが、図５に示すように複数の共通ラインＣＯＭ１、２で共有されてもよい。電源Ｖが複数の共通ラインＣＯＭ１、２で共有される場合、電源Ｖの電圧は、各共通ラインＣＯＭ１、２に常時印加されてもよいし（スタティック制御方式）、時分割で印加されてもよい（ダイナミック制御方式）。電源Ｖには、例えばシリーズ方式やスイッチング方式などの直流の定電圧源を用いることができる。
【００３８】
（第１スイッチＳＷ１１、１２）
第１スイッチＳＷ１１、１２は共通ラインＣＯＭ１、２と電源Ｖとに接続される。第１スイッチＳＷ１１、１２は制御装置ＣＴＲによりオンオフされる。第１スイッチＳＷ１１、１２がオンの場合は複数の共通ラインＣＯＭ１、２が電源Ｖに電気的に接続され、オフの場合は当該接続が解除される。第１スイッチＳＷ１１、１２にはＰチャネル型ＦＥＴ（Ｆｉｅｌｄ  Ｅｆｆｅｃｔ  Ｔｒａｎｓｉｓｔｏｒ：電界効果トランジスタ）やＰＮＰトランジスタを用いることができる。なお、共通ラインの数が１本である場合や、２本ではあるが電源Ｖの電圧を各共通ラインに常時印加するスタティック制御方式である場合には、第１スイッチＳＷ１１、１２を設ける必要はない。
【００３９】
（複数の駆動ラインＳＥＧ１、２）
複数の駆動ラインＳＥＧ１、２は複数の発光素子Ｌ１〜Ｌ４の他端に接続される。複数の駆動ラインＳＥＧ１、２には例えばプリント配線基板の配線の一部からなる銅箔などを用いる。
【００４０】
（第２スイッチＳＷ２１、２２）
第２スイッチＳＷ２１、２２は複数の駆動ラインＳＥＧ１、２とＧＮＤ（接地）とに接続される。第２スイッチＳＷ２１、２２は制御装置ＣＴＲによりオンオフされる。第２スイッチＳＷ２１、２２がオンの場合は駆動ラインＳＥＧ１、２がＧＮＤに電気的に接続され、オフの場合は当該接続が解除される。第２スイッチＳＷ２１、２２にはＮＰＮトランジスタやＮチャネル型ＦＥＴ（Ｆｉｅｌｄ  Ｅｆｆｅｃｔ  Ｔｒａｎｓｉｓｔｏｒ：電界効果トランジスタ）などを用いることができる。駆動ラインＳＥＧ１、２に流れる電流の大きさは、例えば、抵抗素子などの素子や定電流源装置などの装置によって制御することができる。これらの素子や装置は、第２スイッチＳＷ２１、２２とＧＮＤとの間や第２スイッチＳＷ２１、２２と駆動ラインＳＥＧ１、２との間などに設けることができる。
【００４１】
（制御装置ＣＴＲ）
制御装置ＣＴＲは演算部Ｐや複数のメモリＭ１〜Ｍ３などを備えている。演算部Ｐは、ＦＰＧＡ（Ｆｉｅｌｄ  Ｐｒｏｇｒａｍｍａｂｌｅ  Ｇａｔｅ  Ａｒｒａｙ）、マイコン、あるいはこれらを組み合わせたものなどで構成される。
【００４２】
メモリＭ１〜Ｍ３の各々は、１つのＲＡＭ（Ｒａｎｄｏｍ  Ａｃｃｅｓｓ  Ｍｅｍｏｒｙ）あるいは１つのＲＡＭの１つの領域などで構成される。メモリＭ１〜Ｍ３には外部から入力される表示命令が随時に書き込まれる。
【００４３】
メモリＭ４はＲＯＭ（Ｒｅａｄ  Ｏｎｌｙ  Ｍｅｍｏｒｙ）などで構成される。メモリＭ４には演算部Ｐを動作させるプログラムが予め書き込まれている。演算部ＰがメモリＭ４に記憶されているプログラムを実行することにより、表示装置２０は動作する。
【００４４】
１回当たりの点灯制御の時間とは点灯制御の実行に費やされる時間をいう。スタティック制御方式の場合は、第２スイッチＳＷ２１、２２の一方または双方をオンオフする動作が点灯制御に該当し、当該動作に費やされる時間が１回当たりの点灯制御の時間に該当する。また、ダイナミック制御方式の場合は、共通ラインＣＯＭ１、２に時分割で電圧を印加しつつ、第２スイッチＳＷ２１、２２の一方または双方をオンオフする動作が点灯制御に該当し、当該動作に費やされる時間が１回当たりの点灯制御の時間に該当する。
【００４５】
以上、実施形態について説明したが、これらの説明は特許請求の範囲に記載された構成を何ら限定するものではない。
【符号の説明】
【００４６】
１              表示システム
１０            外部装置
２０            表示装置
Ｌ１〜Ｌ４      発光素子
ＣＯＭ１、２    共通ライン
ＳＥＧ１、２    駆動ライン
Ｖ              電源
ＳＷ１１、１２  第１のスイッチ
ＳＷ２１、２２  第２のスイッチ
ＣＴＲ          制御装置
Ｐ              演算部
Ｍ１            メモリ
Ｍ２            メモリ
Ｍ３            メモリ
Ｍ４            メモリ
Ｔ１            書き込み周期
Ｔ２〜Ｔ４、Ｔ８、Ｔ９    表示時間
Ｔ５〜Ｔ７、Ｔ１０        １回当たりの点灯制御の時間
Ｔ１１〜Ｔ１６            休止時間
Ｘ１〜Ｘ８      測定
【図１】
0006705208.tif 000002
【図２Ａ】
0006705208.tif 000003
【図２Ｂ】
0006705208.tif 000004
【図２Ｃ】
0006705208.tif 000005
【図２Ｄ】
0006705208.tif 000006
【図２Ｅ】
0006705208.tif 000007
【図２Ｆ】
0006705208.tif 000008
【図２Ｇ】
0006705208.tif 000009
【図２Ｈ】
0006705208.tif 000010
【図３】
0006705208.tif 000011
【図４】
0006705208.tif 000012
【図５】
0006705208.tif 000013
【図６】
0006705208.tif 000014